(57)【要約】      （修正有）【課題】意匠性に優れかつ安定し、また視認部が筆記部や筆記用インクに妨げられないような筆記用インクの筆記が可能である筆記具を提供する。【解決手段】筆記用インクを収容した軸筒１０と、軸筒の一端に装着された筆記部１４とを有する筆記具Ａであって、筆記部は、軸筒１０から筆記用インクを誘導して、筆記用インクを筆記可能な筆記体１６と、筆記体を保持する保持体１８とを有しており、保持体は視認性を有する硬質材料で形成し、保持体に筆記体が設けられ、特定の角度で見た場合にその保持体の表面積中で、筆記体の見える部分が５０％以下になるものである。【選択図】図１
2018030293.tif 000002
【特許請求の範囲】
【請求項１】
筆記用インクを収容した軸筒と、前記軸筒の一端に装着された筆記部とを有する筆記具であって、前記筆記部は、前記軸筒から筆記用インクを誘導して、該筆記用インクを筆記可能な筆記体と、当該筆記体を保持する保持体とを有しており、前記保持体は視認性を有する硬質材料で形成し、前記保持体に前記筆記体が設けられ、特定の角度で見た場合にその保持体の表面積中で、前記筆記体の見える部分が５０％以下になるものであることを特徴とする筆記具。
【請求項２】
前記保持体は、軸線方向に垂直な断面での肉厚が、最厚部が１ｍｍ以上、或いは前記筆記体の外径と前記保持体の外径の比が１対３以上となることを特徴とする請求項１に記載の筆記具。
【請求項３】
前記保持体は、径線方向の中心部及び外周部に筆記部又はインク供給部が設けられていることを特徴とする請求項１又は２記載の筆記具。
【発明の詳細な説明】
【技術分野】
【０００１】
本発明は、液体の筆記用インクを収容した容器から筆記部を通じて筆記可能にする筆記具に関する。
【背景技術】
【０００２】
従来より、特許文献１や特許文献２に示すように、視認性を有する保持体の先端に筆記部を設けて、筆記時に保持体を通して筆記方向を視認することができユーザーにとって使いやすい筆記具が開示されている。
【０００３】
しかし、保持体内にインク通路があることで視認が妨げられるおそれがあった。そこで、本出願人は、屈折率を調整して筆記部が視認部である筆記具を開示している（例えば、特許文献３参照）。
【０００４】
しかし、特許文献３に開示された筆記具は、インクと筆記芯との屈折率の組合せが難しいなどの課題がある。
【先行技術文献】
【特許文献】
【０００５】
【特許文献１】特開２０１２−２０５７５号公報
【特許文献２】特開２０１４−５０９７０号公報
【特許文献３】特開２０１１−４６００８号公報
【発明の概要】
【発明が解決しようとする課題】
【０００６】
本発明は、上記従来の課題等に鑑みなされたものであり、意匠性に優れかつ安定し、また視認部が筆記部や筆記用インクに妨げられないような筆記用インクの筆記が可能である筆記具の提供することを目的とする。
【課題を解決するための手段】
【０００７】
本発明者らは、上記従来の課題等について、これを解消しようとするものであり、筆記用インクを収容した軸筒と、前記軸筒の一端に装着された筆記部とを有する筆記具において、筆記部は、軸筒から筆記用インクを誘導し、筆記可能な筆記体と、筆記体を保持する保持体とを有しており、保持体は視認性を有する硬質材料で形成し、前記保持体に前記筆記体が設けられ、特定の角度で見た場合にその保持体の表面積中で、前記筆記体の見える部分を特定値以下とすることにより、上記目的の筆記具が得られることを見出し、本発明を完成するに至ったのである。
【０００８】
すなわち、本発明の筆記具は、筆記用インクを収容した軸筒と、前記軸筒の一端に装着された筆記部とを有する筆記具であって、筆記部は、軸筒から筆記用インクを誘導し、筆記可能な筆記体と、筆記体を保持する保持体とを有しており、保持体は視認性を有する硬質材料で形成され、前記保持体は、前記保持体に前記筆記体が設けられ、特定の角度で見た場合にその保持体の表面積中で、前記筆記体の見える部分を５０％以下にしたことを特徴とする。
【０００９】
また、前記保持体は、軸線方向に垂直な断面での肉厚が、最厚部が１ｍｍ以上、或いは前記筆記体の外径と前記保持体の外径の比が１対３以上となることが好適である。
また、前記保持体は、前記保持体は、径線方向の中心部及び外周部に筆記部又はインク供給部が設けられていることが好適である。
【発明の効果】
【００１０】
本発明の筆記具によれば、筆記部は、軸筒から筆記用インクを誘導し、筆記可能な筆記体と、筆記体を保持する保持体からなり、保持体は視認性を有する硬質材料で形成され、さらに筆記体の見える部分を細く視認できるようにしたので、保持体の視認性から当該筆記具を持って筆記する際に、筆記対象部位を見ながら筆記部分をより鮮明にすることができるという優れた効果を奏し得る。
【図面の簡単な説明】
【００１１】
【図１】本発明の第１実施形態に係る筆記具の説明図であり、（ａ）は正面図、（ｂ）は（ａ）の長手方向の中央縦断面図、（ｃ）は（ａ）から９０°回転させた正面図、（ｄ）は（ｃ）の長手方向の中央縦断面図である。
【図２】図１の筆記具の斜視図である。
【図３】図１の筆記具の筆記芯の部品図であり、（ａ）は斜視図、（ｂ）は正面図、（ｃ）は平面図である。
【図４】図１の筆記具の指示部材（保持体）の各部の説明図であり、（ａ）が先方からの見た斜視図、（ｂ）が先方から見た図、（ｃ）が正面図、（ｄ）は（ｃ）の長手方向の中央縦断面図、（ｅ）が上方から見た図、（ｆ）が（ｅ）の長手方向の中央縦断面図、（ｇ）が後方から見た斜視図、（ｈ）が後方から見た図である。
【図５】本発明の第２実施形態に係る筆記具の説明図であり、（ａ）が先方からの斜視図、（ｂ）が正面図、（ｃ）が（ｂ）のＣ−Ｃ線に沿う縦断面図である。
【図６】図５の筆記具の支持部材（保持体）の部品図であり、（ａ）が先方からの斜視図、（ｂ）が先方から見た図、（ｃ）が正面図、（ｄ）が（ｂ）のＤ−Ｄ線に沿う縦断面図、（ｅ）が（ｃ）の９０°回転させた正面図、（ｆ）が（ｂ）のＦ−Ｆ線に沿う縦断面図、（ｇ）が後方からの斜視図、（ｈ）が後方から見た図である。
【図７】本発明の第３実施形態に係る筆記具の説明図であり、（ａ）が先方から見た図、（ｂ）が先方からの斜視図、（ｃ）が正面図、（ｄ）が（ａ）のＣ−Ｃ線に沿う縦断面図である。
【図８】図７の筆記具の支持部材（保持体）の部品図であり、（ａ）が先方からの斜視図、（ｂ）が先方から見た図、（ｃ）が正面図、（ｄ）が（ｂ）のＤ−Ｄ線に沿う縦断面図、（ｅ）が（ｃ）の９０°回転させた正面図、（ｆ）が（ｂ）のＦ−Ｆ線に沿う縦断面図、（ｇ）が後方からの斜視図、（ｈ）が後方から見た図である。
【図９】本発明の第４実施形態に係る筆記具の説明図であり、（ａ）が先方から見た図、（ｂ）が先方からの斜視図、（ｃ）が正面図、（ｄ）が（ａ）のＤ−Ｄ線に沿う縦断面図である。
【図１０】図９の筆記具の支持部材（保持体）の部品図であり、（ａ）が先方からの斜視図、（ｂ）が先方から見た図、（ｃ）が平面図、（ｄ）が正面図、（ｅ）が（ｂ）のＦ−Ｆ線に沿う縦断面図、（ｆ）が後方からの斜視図、（ｇ）が後方から見た図である。
【図１１】支持部材（保持体）の光の経路を示し、（ａ）が第４実施形態に係る支持部材の横断面図、（ｂ）が第４実施形態に係る支持部材で内部に筋（凹部）がないものの横断面図、（ｃ）が（ｂ）の支持部材の光経路の説明図、（ｄ）が第４実施形態に係る支持部材の筋のあるものの横断面図、（ｅ）が（ｄ）の支持部材の透視した斜視図である。
【図１２】本発明の第５実施形態に係る筆記具の説明図であり、（ａ）が先方から見た図、（ｂ）が先方からの斜視図、（ｃ）が正面図、（ｄ）が（ａ）のＤ−Ｄ線に沿う縦断面図である。
【図１３】図１２の筆記具の支持部材（保持体）の部品図であり、（ａ）が先方からの斜視図、（ｂ）が先方から見た図、（ｃ）が（ｅ）のＤ−Ｄ線に沿う横断面図、（ｄ）が平面図、（ｅ）が正面図、（ｆ）が（ｂ）のＦ−Ｆ線に沿う縦断面図、（ｇ）が後方からの斜視図、（ｈ）が後方からの視図、（ｉ）が（ｅ）のＩ−Ｉ線横断面図、（ｊ）が（ｅ）のＪ−Ｊ線横断面図である。
【図１４】図１３の筆記具の変形例の説明図であり、図１３（ｃ）のＣ−Ｃ線と同様箇所で横断視した支持部材における光経路の説明図である。
【図１５】本発明の第６実施形態に係る筆記具の説明図であり、（ａ）が前方からの斜視図、（ｂ）が側面図、（ｃ）が（ｂ）のＣ−Ｃ線に沿う縦断面図である。
【図１６】図１５の筆記具の軸筒の部品図であり、（ａ）が正面図、（ｂ）が斜視図、（ｃ）が側面図、（ｄ）が（ａ）のＤ−Ｄ線に沿う縦断面図である。
【図１７】図１６の筆記具の支持部材（保持体）の部品図であり、（ａ）が先方からの斜視図、（ｂ）が先方から見た図、（ｃ）が側面図、（ｄ）が（ｂ）のＤ−Ｄ線に沿う縦断面図、（ｅ）が後方からの斜視図、（ｆ）が（ｃ）のＣ−Ｃ線に沿う縦断面図である。
【図１８】図１６の筆記具の支持部材の透明感の説明図である。
【発明を実施するための形態】
【００１２】
以下、図面を参照して本発明の各実施形態を説明する。なお、いずれの実施形態においても軸筒の先端には、筆記部を保護するためのキャップ（図示省略）が着脱可能に装着される。
【００１３】
〔第１実施形態の筆記具〕
図１〜図４は、本発明の第１実施形態に係る筆記具であり、図１（ａ）−（ｄ）は、本発明の第１実施形態に係る筆記具の説明図である。
図１（ｂ）、（ｄ）に示すように、本第１実施形態の筆記具Ａは、筆記具本体となる軸筒１０内にインク吸蔵体１２が収納され、そのインク吸蔵体１２に筆記具用インクが吸蔵されるタイプのものである。軸筒１０は、例えば、熱可塑性樹脂、熱硬化性樹脂等で形成されるものであり、後端の閉じた筒状を呈している。前記軸筒１０の後部の内部には、前記インク吸蔵体１２を支持するリブ１０ａが内向きに突出形成されている。
該筆記具Ａは、筆記部１４の後端にインク吸蔵体１２を接続して、インク吸蔵体１２の筆記具用インクを筆記部１４に供給する構成となっている。
なお、図１（ａ）の符号ＬＤは軸筒１０の長手方向（軸方向）を示している。
【００１４】
図２は、筆記具Ａの斜視図、図３（ａ）−（ｃ）は筆記体１６、図４（ａ）−（ｈ）は筆記体１６を装着する保持体１８の部品図である。
第１実施形態の筆記部１４は、図２に示すように、保持体１８の外周に筆記体１６を配設して当該保持体１８が筆記体１６を保持する構造のものである。前記筆記体１６を保持体１８で保持した状態の筆記部１４は、軸筒１０の先端部に筒状の先軸２０によって装着されている。
【００１５】
装着状態において、前記筆記部１４は、当該先軸２０の先端部から筆記体１６及び保持体１８の半分程度を突出して露出させた状態に配設されている。前記先軸２０は筒状であって内部にインク吸蔵体１２の先部を内装して前記軸筒１０に先端部に装着されている。なお、先軸２０の先端開口と筆記部１４との間は、保持体１８の後述するフランジ部１８ｂによって塞がれ、本体部１８ａが先軸２０先端開口に嵌合して筆記部１４が抜け止めされている。保持体１８の本体部１８ａの周囲に筆記体１６が設置された部分（可視部１８ｃ）が透明又は半透明になっており、筆記対象部が視認可能になっている。
【００１６】
インク吸蔵体１２は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体１２は、軸筒１０の本体部内に収容されている。なお、上記軸筒１０の後端側は閉じているが、軸筒１０と同一素材又は別の合成樹脂製素材等にて成形される尾栓により封止しても良い。
用いる筆記具用インクの組成は、特に限定されず、筆記具の用途等に応じて、好適な配合処方とすることができる。好ましくは、後述する筆記具用インク組成物を用いることが望ましい。
【００１７】
また、前記筆記体１６は、図１（ｂ）、図２に示すように、概略矩形の保持体１８を取り囲むように、概略Ｕ字形状を呈している。
本第１実施形態では、図３（ａ）に示すように、前記筆記体１６がインク誘導部１６ａ、１６ａと曲げ部１６ｂ、１６ｂと筆記面部１６ｃとを有する。前記筆記体１６が、断面略円形の帯状体を曲げた形状であって、インク誘導性を備えた焼結体で形成されている。
そして、前記筆記体１６は、インク誘導部１６ａ、１６ａの先端側がほぼ４５°曲がった曲げ部１６ｂ、１６ｂ及びその曲げ部１６ｂ、１６ｂが合体され、先端がカットされた筆記面部１６ｃとから構成されている。
【００１８】
前記第１実施形態に係る保持体１８を図４（ａ）−（ｈ）の部品図を用いて詳細に説明する。
保持体１８は、図１（ｂ）、（ｄ）に示すように、上記筆記体１６を周囲に固定して、軸筒１０の先軸２０先端開口部に固着されるものである。
図４（ａ）〜（ｈ）に示すように、保持体１８は、概略膨出状の本体部１８ａと、該本体部１８ａの先方側に、環状に拡径したフランジ部１８ｂと、フランジ部１８ｂの両側から概略板状先方に延びる構造の、筆記方向を視認することができる平面状の可視部１８ｃ、１８ｃと該可視部１８ｃ、１８ｃの上下側と先方の内側に傾斜カット面１８ｄ、１８ｄを有する。また、前記保持体１８は、該本体部１８ａの後方側に、上記本体部１８ａに連設される後方保持部１８ｅを備えている。また、これらの各部から構成される保持体１８の長手方向外周面全体には、上記Ｕ字型状の筆記体１６を嵌入保持する保持溝１８ｆが形成されている。
【００１９】
また、本体部１８ａの幅方向外周面には、先軸２０の内周に嵌合するための凹状又は凸状の嵌合部１８ｈが形成され、また、長手方向外周面には、フランジ部１８ｂから後方保持部１８ｅに亘って外周面に断面凹状の空気置換のための空気流通溝１８i、１８ｊが形成されている。空気流通溝１８i、１８ｊを介して軸筒１０内の外気と空気流通を行う構造になっている。その構造によって、筆記部１４の筆記時にインク吸蔵体１２に貯留の筆記具用インクの空気置換が出来るようになっている。
更に、本第１実施形態では、保持体１８の本体部１８ａにおける長手（径方向）方向の中心部に、インク吸蔵体１２と同材料から構成される大径部１５ａと小径部１５ｂとが一体となったインク供給体１５が収容される大径部と小径部とが連通したインク供給体収容孔１８ｋが貫通している。
【００２０】
本第１実施形態に係る保持体１８は、硬質材料から成形されるものであり、好ましくは、筆記方向を視認できる硬質材料、例えば、金属、ガラス、ゴム弾性を有しない樹脂などから構成されるものであり、前方に幅広の平滑面となる可視部１８ｃと後方に本体部１８ａが形成されている。視認可能となるゴム弾性を有しない樹脂としては、例えば、スチレン−イソプレン樹脂、アイオノマー樹脂、ＳＢＲ−ＰＰのブレンド樹脂、アクリル樹脂、ナイロン樹脂、ポリメチルペンテン、ＰＣ（ポリカーボネート）、透明ＡＢＳ樹脂などが挙げられる。硬質材料は筆記方向を視認できる可視光線透過率であればよく、好ましくは、５０％以上となる材料から構成されることが好ましい。
なお、この可視光線透過率が５０％未満の材料を使用した場合は、筆記方向にある対象部を有効に視認できないことがあり、好ましくない。更なる良好な視認機能を発揮できるようにするために、５０％以上透過する材料が好ましく、この可視光線透過率が８０％以上であれば、更に良好に視認できるものとなる。
【００２１】
前記筆記体１６は、スポンジなどの高分子発泡体、浸透印等に用いられる多孔質のゴム体、不繊布、フェルト、繊維束を樹脂で固めたもの、又は、金属、セラミック、高分子の焼結体などの多孔質部材から構成されたものであり、これらの多孔質部材（以下においても同様）は、嵌着、又は接着剤による接着、又は熔着などにより保持体１８の外周に被覆されている。なお、保持体１８の外周面に筆記体１６の被覆を更に確実にするため嵌合溝等を施しても良いものである。
【００２２】
本第１実施形態の筆記具Ａでは、インク吸蔵体１２から筆記体１６へのインク供給機構は、インク吸蔵体１２の先端側に筆記体１６のインク誘導部１６ａ、１６ａとインク供給体１５の後方部が嵌入等されており、これによりインク吸蔵体１２に含浸された筆記具用インクはインク誘導部１６ａ、１６ａ、並びに、インク供給体１５の２ルートを介して筆記面部１６ｃに毛管力により供給される構造となっている。上記インク吸蔵体１２、筆記体１６、インク供給体１５の毛管力を好適に設定することによりインク吸蔵体１２から筆記体１６の筆記面部１６ｃへの２ルートによるインク供給量を好適に設定することができることとなる。
また、描線を筆記することとなる筆記面部１６ｃは、その幅方向の幅を適宜な長さとすることにより好適な描線幅を設定することができ、好ましくは、描線幅１ｍｍ以上、更に好ましくは、描線幅３ｍｍ以上の描線幅となることが好ましい。
【００２３】
本第１実施形態では、特定の角度で見た場合にその保持体１８の表面積中で、前記筆記体１６の見える部分を５０％以下とするものである。すなわち、保持体１８の表面積中で、該筆記体１６の見える部分を少なくとも５０％以下として、筆記体１６の見える部分を極力少なくすることにより、保持体１８の視認性から当該筆記具を持って筆記する際に、筆記対象部位を見ながら筆記部分をより鮮明にすることができるという優れた効果を奏するものとなる。
また、前記保持体１８において、軸線方向に垂直な断面での肉厚、最厚部を１ｍｍ以上、或いは前記筆記体１６の外径と前記保持体１８の外径の比を１対３以上とすることにより、更に筆記対象部位を見ながら筆記部分をより鮮明にすることができることとなる。
更に、本第１実施形態では、保持体１８は、径線方向の中心部及び外周部に、筆記部及びインク供給部が設けられているので、インク吸蔵体１２から筆記体１６の筆記面部１６ｃへのインク供給は、２方向から供給される機構となるので、インク供給切れを起こすことなく、インク供給量が好適となるものである。
【００２４】
〔第２実施形態の筆記具〕
次に、本発明の第２実施形態に係る筆記具を説明する。
図５（ａ）−（ｃ）は、本発明第２実施形態に係る筆記具を、（ａ）が斜視図、（ｂ）が正面図、（ｃ）が断面図で示すものである。また、図５（ａ）−（ｃ）は、この筆記具の支持部材（「保持体」に相当）１８Ｂを示した部品図である。
【００２５】
図５（ｃ）に示すように、筆記具の外側部を構成する軸筒１０の後端が閉じられており、その軸筒１０の内部空間に、流動体を浸漬した筆記用インク吸蔵体１２が収容されている。軸筒１０の先端には、先軸２０が装着されており、その先軸２０は、内部が段状に先細く空間になる筒状体である。先軸２０の先端部内に筆状の筆記部１４Ｂがその保持部材１８Ｂの先端から突出している。そして、筆記用インク吸蔵体１２に筆記部１４Ｂの後端が差し込まれて連結し、筆記部１４Ｂが支持部材１８Ｂの軸心を貫通している。
筆記部１４Ｂとしては、筆の場合は、材質としてポリブチレンテレフタレート繊維を束ねた状態で先端を先鋭化するようにまとめたものを使用でき、ペン芯の場合は、材質としてナイロン、ポリエステル、アクリルを使用できる。
また、図５に示すように軸筒１０には、筆記用インク吸蔵体１２を充填するための空間内壁の先端側に、支持部材１８Ｂが嵌入している。
【００２６】
図６（ａ）−（ｈ）は、支持部材１８Ｂの説明図である。
支持部材１８Ｂは、透明体又は半透明体からなる。本実施形態の支持部材１８Ｂは、視認性を有する材料、例えば、スチレン−イソプレン樹脂、アイオノマー樹脂、ＳＢＲ−ＰＰのブレンド樹脂、アクリル樹脂、ナイロン樹脂、ポリメチルペンテン、ＰＣ（ポリカーボネート）、透明ＡＢＳ樹脂等の材料から構成されるものであり、筆記方向が視認できる可視光線透過率であればよく、上記第１実施形態と同様に、好ましくは、５０％以上となる材料から構成されることが好ましい。
【００２７】
図６（ｆ）に示すように、支持部材１８Ｂの後部の左右側には、それぞれ溝３２が形成されている。この支持部材１８Ｂの後半部分を先軸２０の先端に圧入することで、この溝３２が先軸２０の先端内壁との間で空気置換孔を形成することとなっている（図７（ｃ）参照）。よってこの空気置換孔は筆記具の左右側にそれぞれ開口することとなる。
【００２８】
また、支持部材１８Ｂ先部には、外周面がテーパー状であって周方向に凹凸があり凹凸がリブ状で先後方向（長手方向ＬＤ）に沿って形成され（図５参照）、横断面で星形形状又は花形形状を呈する。もちろん、これは一例であり、種々の形状にすることができる。支持部材１８Ｂは透明であるため、筆記部１４Ｂの色を容易に視認できると共に、支持部材１８Ｂの外周面が凹凸であるため、筆記部１４Ｂがレンズ効果で大きく見え、支持部材１８Ｂとのマッチングを図るなどして外観意匠性が向上する。
【００２９】
本第２実施形態に係る筆記具は以下のように機能する。
すなわち、筆記用インク吸蔵体１２（図５（ｃ））に浸漬されている流動体は、筆記部１４Ｂの毛管力で先端方向へ誘導され、筆記部１４Ｂ先端に至りこれを浸漬することで、目的の箇所へ筆記可能となる。また、溝３２の空気置換孔から流入した空気が、筆記用インク吸蔵体１２の存在する軸筒１０の内部空間へと至る。これにより、流動体の空気交換は支障なく行われることとなる。
【００３０】
ここで、筆記具に先端方向の衝撃が急に与えられた場合、流動体の大部分は軸筒１０の内段部により阻止されるものの、一部は空気置換孔（溝３２）を通ることとなる。しかし、空気置換孔には先端側に９０°の曲がり部（３２ａ：図６（ｆ）参照）があり左右両側へ９０°回り込む必要があるので、直接外界へ漏れ出すことはない。そして空気置換孔内の先端側に一時的に保持された流動体はその間に空気置換孔から流入する外界の空気により、再び筆記用インク吸蔵体１２の方へ押し戻されることになる。
【００３１】
〔筆記用インク組成物の説明〕
次に、上記第１実施形態、第２実施形態、後述する第３実施形態以降で、筆記具に使用する筆記用インク組成物を説明する。
用いることができる筆記具用インク組成物としては、特に限定されるものでないが、インク供給機構を良好とする点、筆記部（ペン先）の乾燥を抑えながらも、描線の乾燥性、インクの低温安定性に優れ、描線に滲みや裏抜けのない機能を発現することなどの点から、好ましくは、着色剤と、トリメチルグリシンと、ペンタエリスリトールと、１０質量％以下の水溶性有機溶剤と、水とを少なくとも含有する筆記具用インク組成物の使用が望ましい。
【００３２】
用いることができる着色剤としては、水に溶解もしくは分散する染料、酸化チタン等の従来公知の無機系および有機顔料系、顔料を含有した樹脂粒子顔料、樹脂エマルションを染料で着色した疑似顔料、蛍光顔料、白色系プラスチック顔料、シリカや雲母を基材とし表層に酸化鉄や酸化チタンなどを多層コーティングした顔料等を本発明の効果を損なわない範囲で使用することができる。
染料としては、例えば、エオシン、フオキシン、ウォーターイエロー＃６−Ｃ、アシッドレッド、ウォーターブルー＃１０５、ブリリアントブルーＦＣＦ、ニグロシンＮＢ等の酸性染料；ダイレクトブラック１５４、ダイレクトスカイブルー５Ｂ、バイオレットＢ００Ｂ等の直接染料；ローダミン、メチルバイオレット等の塩基性染料、蛍光染料などが挙げられる。
【００３３】
無機系顔料としては、例えば、アゾレーキ、不溶性アゾ顔料、キレートアゾ顔料、フタロシアニン顔料、ペリレンおよびペリノン顔料、ニトロソ顔料などが挙げられる。より具体的には、カーボンブラック、チタンブラック、亜鉛華、べんがら、アルミニウム、酸化クロム、鉄黒、コバルトブルー、酸化鉄黄、ビリジアン、硫化亜鉛、リトポン、カドミウムエロー、朱、カドミウムレッド、黄鉛、モリブデードオレンジ、ジンククロメート、ストロンチウムクロメート、ホワイトカーボン、クレー、タルク、群青、沈降性硫酸バリウム、バライト粉、炭酸カルシウム、鉛白、紺白、紺青、マンガンバイオレット、アルミニウム粉、真鍮粉等の無機顔料、Ｃ．Ｉ．ピグメントブルー１７、Ｃ．Ｉ．ピグメントブルー１５、Ｃ．Ｉ．ピグメントブルー１７、Ｃ．Ｉ．ピグメントブルー２７、Ｃ．Ｉ．ピグメントレッド５、Ｃ．Ｉ．ピグメントレッド２２、Ｃ．Ｉ．ピグメントレッド３８、Ｃ．Ｉ．ピグメントレッド４８、Ｃ．Ｉ．ピグメントレッド４９、Ｃ．Ｉ．ピグメントレッド５３、Ｃ．Ｉ．ピグメントレッド５７、Ｃ．Ｉ．ピグメントレッド８１、Ｃ．Ｉ．ピグメントレッド１０４、Ｃ．Ｉ．ピグメントレッド１４６、Ｃ．Ｉ．ピグメントレッド２４５、Ｃ．Ｉ．ピグメントイエロー１、Ｃ．Ｉ．ピグメントイエロー３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー３４、Ｃ．Ｉ．ピグメントイエロー５５、Ｃ．Ｉ．ピグメントイエロー７４、Ｃ．Ｉ．ピグメントイエロー９５、Ｃ．Ｉ．ピグメントイエロー１６６、Ｃ．Ｉ．ピグメントイエロー１６７、Ｃ．Ｉ．ピグメントオレンジ５、Ｃ．Ｉ．ピグメントオレンジ１３、Ｃ．Ｉ．ピグメントオレンジ１６、Ｃ．Ｉ．ピグメントバイオレット１、Ｃ．Ｉ．ピグメントバイオレット３、Ｃ．Ｉ．ピグメントバイオレット１９、Ｃ．Ｉ．ピグメントバイオレット２３、Ｃ．Ｉ．ピグメントバイオレット５０、Ｃ．Ｉ．ピグメントグリーン７等が挙げられる。
蛍光顔料としては、従来公知のものが適宜使用でき、例えば、硫化亜鉛、ケイ酸亜鉛、硫化カドミウム、硫化ストロンチウム、タングステン酸カルシウム等の無機蛍光顔料や高分子化合物を染色した有機蛍光顔料が挙げられる。
有機蛍光顔料としては、具体的には、ＮＫＷシリーズ（日本蛍光化学社製）、シンロイヒカラーベースＳＷシリーズ、ＳＦシリーズ（シンロイヒ社製）、ビクトリアイエローＧ−２０などのビクトリアシリーズ（御国色素社製）等が挙げられる。
【００３４】
これらの着色剤は、一種もしくは二種以上を混合して使用することができる。
これらの着色剤の含有量は、インク組成物全量に対して、０．１〜６０質量％（以下、「質量％」を単に「％」という）で適宜調整することが可能である。
【００３５】
用いるトリメチルグリシン〔別名：グリシンベタイン、（ＣＨ３）２Ｎ＋（ＣＨ３）ＣＨ２ＣＯＯ−〕は、保湿剤等として作用せしめるために用いるものであり、筆記
具用水性インク組成中に配合してもインキ性能の低下等を招くことがなく、ペン先の耐乾
燥性、描線の乾燥性、インクの低温安定性を発揮せしめるものである。
【００３６】
このトリメチルグリシンの含有量は、インク組成物全量に対して、０．５〜５０％、好ましくは、１〜１５％、より好ましくは、２〜１０％とすることが望ましい。
この含有量が０．５％未満であると、ペン先の乾燥抑制効果が充分でなく、一方、５０％超過であると、効果はそれほど変わらず、むしろ粘度増加による筆記性能、保存安定性の低下をもたらすこととなる。
【００３７】
用いるペンタエリスリトール〔Ｃ（ＣＨ２ＯＨ）４〕は、保湿剤等として作用せしめるために用いるものであり、上記トリメチルグリシンとの併用により、各単独使用よりも、相乗的に作用して、ペン先の乾燥を抑えながらも、従来にない描線の乾燥性、インクの低温安定性に優れ、描線に滲みや裏抜けのない優れた性能を発揮せしめるものとなる。
【００３８】
このペンタエリスリトールの含有量は、インク組成物全量に対して、０．５〜８％、好ましくは、２〜５％とすることが望ましい。
この含有量の含有量が０．５％未満であると、ペン先の乾燥抑制効果が充分でなく、また、トリメチルグリシンとの相乗作用を発揮することができず、一方、８％超過であると、トリメチルグリシンとの相乗作用の効果はそれほど変わらず、低温下における析出や、保存安定性の低下をもたらすこととなる。
【００３９】
用いる水溶性有機溶剤としては、例えば、エタノール、イソプロピルアルコール、ｎ−ブチルアルコール、エチレングリコール、ジエチレングリコールなどのアルコール類、ホルムアミドおよびその誘導体などのアミド類、ジメチルスルホキシドなどのスルホキシド類など、エチレングリコールモノメチルエーテル、エチレングリコールモノブチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジエチルエーテル、ジエチレングリコールジブチルエーテル、プロピレングリコールメチルエーテル、ジプロピレングリコールメチルエーテル、トリプロピレングリコールメチルエーテル、プロピレングリコールブチルエーテル、ジプロピレングリコールｎ−ブチルエーテル、トリプロピレングリコールｎ−ブチルエーテル、プロピレングリコールフェニルエーテル、エチレングリコールモノエチルエーテル、エチレングリコールモノヘキシルエーテル、エチレングリコールモノフェニルエーテル、エチレングリコールモノ−２−エチルブチルエーテル、プロピレングリコールエチルエーテル、プロピレングリコールターシャリーブチルエーテルなどのエーテル類が挙げられ、これらは一種もしくは二種以上を混合して使用することができる。
これらの水溶性有機溶剤の含有量は、インク組成物全量に対して、１０％以下、好ましくは、７％以下、より好ましくは５％以下とすることが望ましい。
これらの水溶性有機溶剤の含有量を１０％以下とすることにより、描線乾燥性に優れた機能を発揮せしめるものとなる。
【００４０】
本発明の筆記具に用いる筆記具用インク組成物は、上記各成分の他、残部（溶媒）として水（精製水、蒸留水、イオン交換水、純水など）で調製され、上記各成分以外にも、例えば、界面活性剤、防腐剤や防菌剤、ｐＨ調整剤、水溶性樹脂、樹脂エマルションなどの任意成分を本発明の効果を損なわない範囲で適宜含有せしめることができる。
【００４１】
用いることができる界面活性剤としては、例えば、ソルビタン脂肪酸エステル、グリセリン脂肪酸エステル、デカグリセリン脂肪酸エステル、ポリグリセリン脂肪酸エステル、ポリオキシエチレンソルビタン脂肪酸エステル、ポリオキシエチレンソルビット脂肪酸エステル、ポリオキシエチレングリセリン脂肪酸エステル、ポリエチレングリコール脂肪酸エステル、ポリオ キシエチレンアルキルエーテル、ポリオキシエチレンポリオキシプロピレンアルキルエーテル、ポリオキシエチレンアルキルフェニルエーテル、ポリオキシエチレンヒマシ油、ポリオキシエチレンラノリン・ラノリン・アルコール・ミツロウ誘導体、ポリオキシエチレンアルキルアミン・脂肪酸アミドなどの非イオン性界面活性剤；、アルキル硫酸塩、ポリオキシエチレンアルキルエーテル硫酸塩、Ｎ‐アシルアミノ酸塩、Ｎ‐アシルメチルタウリン塩、ポリオキシエチレンアルキルエーテル酢酸塩、α‐オレフィンスルホン酸塩、アルキルリン酸塩、ポリオキシエチレンアルキルエーテルリン酸塩などの陰イオン性界面活性剤；、パーフルオロアルキルエチレンオキサイド付加物、パーフルオロアルキルトリメチルアンモニウム塩、パーフルオロアルキルカルボン酸塩、フッ素化アルキルエステル、パーフルオロアルキルスルホン酸塩、パーフルオロアルキル基親水性基含有オリゴマー、パーフルオロアルキル基親水性基含有ウレタン、パーフルオロアルキルリン酸エステル、パーフルオロアルキルベタイン、パーフルオロアルキルアミンオキサイド、パーフルオロアルキルアンモニウム 塩、パーフルオロアルキルアルコキシレート、パーフルオロアルキルポリオキシエチレンエタノールなどのフッ素系界面活性剤を挙げることができる。これらの界面活性剤は、一種もしくは二種以上を混合して使用することができる。
また、防腐剤もしくは防菌剤としては、フェノール、ナトリウムオマジン、安息香酸ナトリウム、ベンズイミダゾール系化合物などが挙げられる。
ｐＨ調整剤としては、水酸化ナトリウム、水酸化カリウム、水酸化リチウム等のアルカリ金属の水酸化物、トリエタノールアミン、ジエタノールアミン、モノエタノールアミン、ジメチルエタノールアミン、モルホリン、トリエチルアミン等のアミン化合物、アンモニア等が挙げられる。
水溶性樹脂としては、例えば、ポリアクリル酸、水溶性スチレン −アクリル樹脂、水溶性スチレン・マレイン酸樹脂、水溶性マレイン酸樹脂、水溶性スチレン樹脂、ポリビニルピロリドン、ポリビニルアルコ−ル、水溶性エステル−アクリル樹脂、エチレン−マレイン酸共重合体、ポリエチレンオキサイド、水溶性ウレタン樹脂等などが挙げられる。
樹脂エマルションとしては、例えば、アクリル系エマルション、酢酸ビニル系エマルション、ウレタン系エマルション、スチ レン−ブタジエンエマルション、スチレンアクリロニトリルエマルションなどが挙げられる。
これらの水溶性樹脂および樹脂エマルションは、一種もしくは二種以上を混合して使用することができる。
【００４２】
この筆記具用インク組成物を製造するには、従来から知られている方法が採用可能であり、例えば、着色剤と、トリメチルグリシンと、ペンタエリスリトールと、１０質量％以下の水溶性有機溶剤と、水とを少なくとも含み、水性における各成分などを所定量配合し、ホモミキサー、もしくはディスパー等の攪拌機により攪拌混合することによって得られる。更に必要に応じて、ろ過や遠心分離によってインク組成物中の粗大粒子を除去してもよく、また、脱泡、加熱、冷却しながら作製してもよいものである。
【００４３】
このように構成される本発明の筆記具に用いる筆記具用インク組成物が、何故、ペン先の乾燥を抑えながらも、描線の乾燥性、インクの低温安定性に優れ、描線に滲みや裏抜けのない機能を発現するのかは下記のように推測することができる。
すなわち、本発明の筆記具に用いる筆記具用インク組成物では、着色剤と、トリメチルグリシンと、ペンタエリスリトールと、１０質量％以下の水溶性有機溶剤と、水とを少なくとも含有することにより、共に、トリメチルグリシンと、ペンタエリスリトールとがペン先の耐乾燥性を抑える成分となるものであり、これらの各単独使用よりも、筆記具用水性インク組成中で併用することにより、相乗的に作用していることは明らかである。その理由は必ずしも明らかではないが、相乗効果によりペン先の乾燥を抑えながらも、描線の乾燥性、インクの低温安定性に優れ、描線に滲みや裏抜けのない優れた性能を発揮せしめるものと推測される。
本発明に用いる筆記具用インク組成物は、上記効果を発揮せしめる持続効果が極めて優れており、しかも、その効果の発現期間・持続時間も長く、更にトリメチルグリシンとペンタエリスリトールは水溶性であるために経時的な安定性にも優れたものとなる。
従って、本発明の筆記具に上記組成の筆記用インク組成物を用いることにより、保持体の視認性から当該筆記具を持って筆記する際に、筆記対象部位を見ながら筆記部分をより鮮明にすることができるという優れた効果と共に、筆記部（ペン先）の乾燥を抑えながらも、描線の乾燥性、インクの低温安定性に優れ、描線に滲みや裏抜けのない機能を発現することができる筆記具が得られることとなる。
【００４４】
〔第３実施形態の筆記具〕
次に、本発明の第３実施形態に係る筆記具を説明図である。
図７（ａ）−（ｄ）は、本発明の第３実施形態に係る筆記具を、（ａ）が先方から見た図、（ｂ）が斜視図、（ｃ）が正面図、（ｄ）が縦断面図を示すものである。また、図８（ａ）−（ｈ）は、この筆記具の支持部材（「保持体」に相当）１８Ｃを示した部品図である。なお、軸筒１０、筆記用インク吸蔵体１２、先軸２０は、前記第２実施形態と同様部分に同一符号を付している。
【００４５】
この筆記具では、図７（ａ）−（ｄ）に示すように、先軸２０の先端部内に筆状の筆記部１４Ｃがその保持部材１８Ｃの先端から突出している。そして、筆記用インク吸蔵体１２に筆記部１４Ｃの後端が差し込まれて連結し、筆記部１４Ｃが支持部材１８Ｃの軸心を貫通している。
【００４６】
筆記部１４Ｃとしては、第２実施形態と同様、筆の場合は、材質としてポリブチレンテレフタレート繊維を束ねた状態で先端を先鋭化するようにまとめたものを使用でき、ペン芯の場合は、材質としてナイロン、ポリエステル、アクリルを使用できる。
【００４７】
保持部材１８Ｃは、図８（ａ）−（ｈ）に示すように、透明樹脂製で三角面の多数組み合わさった外面形状を呈している。図８（ａ）に示すように、先方から見ると左右対称の楕円形状を呈している。また、保持部材１８Ｃの後部の左右側には、それぞれ溝３２が形成されている。この支持部材１８Ｃの後半部分を先軸２０の先端に圧入することで、この溝３２が先軸２０の先端内壁との間で空気置換孔を形成することとなっている（図７（ｄ）参照）
【００４８】
保持部材１８Ｃの材料の樹脂としては、上記第１実施形態と同様の材質であればよく、例えば、スチレン−イソプレン樹脂、アイオノマー樹脂、ＳＢＲ−ＰＰのブレンド樹脂、アクリル樹脂、ナイロン樹脂、ポリメチルペンテン、ＰＣ（ポリカーボネート）、透明ＡＢＳ樹脂から構成されるものであり、可視光線透過率が５０％以上となる材料から構成されることが好ましい。
また、支持部材１８Ｃにおいて、表面反射の印象を強くするためには、角度が変化した際に断続的に光る面が切り替わっていくと良い。
【００４９】
支持部材１８Ｃは、特に三角面が多数のダイヤカットなど、小さい角度の変化で多くの面が次々と輝いていくと効果的に輝く印象にすることができる。
また、支持部材１８Ｃ表面反射の印象を強くするためには、エッジ（稜線）がしっかり出ていた方が良い。例えばエッジの半径が０．５ｍｍ以下とするのが好適である。
【００５０】
また、支持部材１８Ｃは、その透明部品（透明樹脂部品）を肉厚にし、ペン芯を細くすることで表面反射、内部全反射ともに強調することができる。
また、支持部材１８Ｃは、高アッベ数（分散が小さい）素材の方が冷たい光となってダイヤモンドのような高級感のある輝きとなる。この場合、高屈折率材料の方が表面反射、内部全反射ともに発生させやすい。
【００５１】
〔第４実施形態の筆記具〕
次に、本発明の第４実施形態に係る筆記具を説明図である。
図９（ａ）−（ｄ）は、本発明の第４実施形態に係る筆記具を、（ａ）が先方から見た図、（ｂ）が斜視図、（ｃ）が正面図、（ｄ）が縦断面図で示すものである。また、図１０（ａ）−（ｇ）は、この筆記具の支持部材（「保持体」に相当）１８Ｄを示した部品図である。図１１（ａ）−（ｅ）は支持部材１８Ｄの光線の屈折状態の説明図である。
なお、図９〜図１０において、軸筒１０、筆記用インク吸蔵体１２、先軸２０は、前記第３実施形態と同様部分に同一符号を付している。
【００５２】
第４実施形態に係る支持部材１８Ｄは、図１０（ｂ）に示すように、先方から見て概略五角形形状を呈し、上下に非対称な形状である。
このように支持部材１８Ｄを概略五角形の横断面形状としたときに光の屈折に寄与できる点を図１１によって説明する。
【００５３】
図１１の（ａ）−（ｅ）は、前記第３実施形態に係る支持部材１８Ｃを示し、その横断面が上下及び左右で対称形状である。この支持部材１８Ｃは、横断面で見て直線が組み合わさった外縁を形成した概略長円形状を呈し、上面と下面など平行な面を形成している。図１１（ａ）に示すように、一方の上面から入射した平行な光Ｌ１は表面から屈折して内部に入り、内部で平行に他方の下面に至り、他の面から屈折して出射する（光Ｌ１の進行経路を破線で示す）。光Ｌ１は入射しても支持部材１８Ｃから通り抜けてしまうので、きらきらした輝きが出にくい。
【００５４】
これに対して、第４実施形態に係る支持部材１８Ｄでは、図１１（ｂ）、（ｃ）、（ｄ）に示すように、その横断面が上下で非対称な五角形であって、平行な面を無くしている。図１１（ｃ）に示すように、横断面五角形の支持部材１８Ｄが、各面１８Ｄ１〜１８Ｄ５を有する。一方の上面１８Ｄ１から入射した平行な光Ｌ２は表面１８Ｄ１から屈折して内部に入り、下面１８Ｄ３，１８Ｄ４でさらに反射屈折して上方に散乱し他のいろいろな面１８Ｄ１〜１８Ｄ５で反射屈折して出射する（光Ｌ２の進行経路を破線で示す）。
【００５５】
したがって、支持部材１８Ｄの外形を五角形等とし並行面（平行面）を無くすことで内部全反射の頻度を増やすことができる。よって、支持部材１８Ｄへ入射した光Ｌ２が各面で反射し出射するのできらきらした輝きが出る。筆記具を使用時に光源からの光の入射角度が変化に伴って反射光が変化して輝く。
【００５６】
また、図１１（ｂ）に示すように、支持部材１８Ｄには筆記部１４Ｄが通る円筒状通路であるが、外形を５角形などとし並行面（平行面）を無くすことができる。そして、並行面をなくすばかりでなく、前記支持部材１８Ｄ内で上記筆記部１４Ｄを挿通する通路１８Ｄｂに、図１１（ｄ）や（ｅ）に示すように、十字コアなどコアに凹の筋（凹部）１８Ｄａを形成して、凹の筋１８Ｄａによってさらに内部全反射の頻度を増やして一層輝きを増すことができる。
【００５７】
また、図９〜図１１に示すように、前記支持部材１８Ｄは、透明部品を肉厚にし、ペン芯を細くすることで表面反射、内部全反射ともに強調することができる。
また、前記支持部材１８Ｄは、高アッベ数（分散が小さい）素材の方が冷たい光となってダイヤモンドのような高級感のある輝きとなる。この場合、高屈折率材料の方が表面反射、内部全反射ともに発生させやすい。
【００５８】
〔第５実施形態の筆記具〕
次に、本発明の第５実施形態に係る筆記具を説明図である。
図１２（ａ）−（ｄ）は、本発明の第５実施形態に係る筆記具を示し、（ａ）が先方から見た図、（ｂ）が斜視図、（ｃ）が正面図、（ｄ）が縦断面図で示すものである。また、図１３（ａ）−（ｊ）は、この筆記具の支持部材（「保持体」に相当）１８Ｅを示した部品図である。図１４は支持部材１８Ｄの光線の屈折状態の説明図である。
なお、図１２〜図１４において、軸筒１０、筆記用インク吸蔵体１２、先軸２０は，前記第３実施形態や第４実施形態と同様部分に同一符号を付している。
【００５９】
第５実施形態に係る支持部材１８Ｅは、図１２、図１３に示すように、先方から見て概略両側面に凹所の形成された鼓形形状を呈し、支持部材１８Ｅ内の筆記部１４Ｅのペン芯を、所定の角度からは見えなくする（ステルスクチプラ）ものである。
【００６０】
支持部材１８Ｅは、図１３に示すように、筆記部１４Ｅの通る内部通路１８Ｅａのコア形状（つまり、内部通路形状）を断面四角くすることで、当該支持部材１８Ｅ内で光を内部全反射させることによって筆記部１４Ｅのペン芯を見えなくしたものである。
【００６１】
また、支持部材１８Ｅは、外側の弧状に凹んだ凹状側面１８Ｅｂとすることによって、当該支持部材１８Ｅ内に入る光を屈折させ、内部通路１８Ｅａ側で内部全反射しやすい形状としたものである。
【００６２】
また、図１４に示すように、支持部材１８Ｅと筆記部１４Ｅの間に金属パイプ３４を通すことで、本来筆記部１４Ｅのペン芯が見えてしまう角度でも、当該金属パイプ３４の外面の反射機能（全反射や鏡面反射等表面性状による反射機能）によって、内部全反射のような輝きが得られ、３６０度の方向から、支持部材１８Ｅ内の筆記部１４Ｅ（ペン芯）が見えないようにできる。
【００６３】
また、支持部材１８Ｅが高屈折率材料の方が、より内部全反射が発生しやすく、筆記部１４Ｅのペン芯の見えない範囲が広くなる。
具体的な支持部材１８Ｅの実施品では、図１４に示すように、凹形状の側面１８Ｅｂでは、凹レンズの効果を奏し、断面で示すように入射光Ｌ３（二点鎖線Ｌ３で示す）の入射方向に対して±１２度以内で入射光Ｌ３（符号Ｐ点で反射する）が内部全反射して筆記部１４Ｅペン芯が見えなくなるステルス性を発現している。つまり、Ｐ点で入射角が大きくなり全反射しやすいことによる。
【００６４】
この場合、内部通路１８Ｅａに反射性のあるパイプ３４を通し、そのパイプ３４内に筆記部１４Ｅを通して、パイプ３４で筆記部１４Ｅのペン芯を覆う構造を設けることができる。
【００６５】
これにより、入射光Ｌ３が内部通路１８Ｅａ壁面で反射（支持部材１８Ｅで内部反射）すると共に、パイプ３４で乱反射して筆記部１４Ｅの全周が見えにくく又は見えなくなる。なお、パイプ３４は材質としては金属等反射する材質が好ましく、ステンレスやアルミニウム、ニッケル−クロムメッキ処理品が好ましい。
【００６６】
以上のように、第５実施形態の筆記具では、支持部材１８Ｅ内で入射した光を内部全反射させるので、内部の筆記部１４Ｅが見えなくなり、ステルス性が向上できる。
したがって、使用者は内部の筆記部１４Ｅが目に付かず光の反射光だけ光って見えるので、きらびやかな印象付けができる。また、パイプ３４を設けてさらにステルス性を高めることができる。
【００６７】
〔第６実施形態の筆記具〕
次に、本発明の第６実施形態に係る筆記具を説明する。
本発明の第６実施形態に係る筆記具では、図１２〜図１４に示した第５実施形態の筆記具と同じ形状・外観構造であり、図示を省略するが、支持部材の材質を異ならせて、より光の散乱を利用して質感を向上させたものである。
【００６８】
支持部材は、その材質として、透明樹脂に微細粒子（数１０ｎｍ程度）を添加することで、レイリー散乱によって青色に発色させることができる。
特定の角度で見た際に、硬質ペン先の透明部材である支持部材の表面積中、内容液導流部（筆記部のペン芯等の筆記体）の見える部分が５０％以下となるものが適切である。
また、硬質ペン先つまり、透明部材である支持部材の軸線方向ＬＤに垂直な断面での肉厚最厚部が１ｍｍ以上、又は導流部（筆記部ペン芯）１４Ｅの径と支持部材である透明部材の外径の比率が１対３以上であることが好ましい。すなわち、透明部材の外径は、導流部１４Ｅの径の３倍以上であることが好ましい。
【００６９】
〔第７実施形態の筆記具〕
次に、本発明の第７実施形態に係る筆記具を説明する。
図１５（ａ）−（ｃ）が本発明の第７実施形態に係る筆記具を示し、（ａ）が前方からの斜視図、（ｂ）が側面図、（ｃ）が（ｂ）のＣ−Ｃ線に沿う縦断面図である。また、図１６（ａ）−（ｄ）は、この筆記具の軸筒の部品図である。また、図１７（ａ）−（ｆ）は、この筆記具の支持部材（「保持体」に相当）１８Ｆの部品図である。また、図１８は、支持部材１８Ｆの透明感の説明図である。なお、図１５〜図１８において、軸筒１０、筆記用インク吸蔵体１２、先軸２０は、図１２〜図１４の前記第５実施形態と同様部分に同一符号を付している。
【００７０】
第７実施形態に係る筆記具では、筆記部（ペン芯）１４Ｆを内部に挿通させて支持する支持部材１８Ｆが透明部材で形成されている。そして前記支持部材１８Ｆは、図１５、図１７に示すように、先方から見て概略両側面（使用者から見て正面）を平坦面にカットし、全体の軸横断面が概略楕円として、外面がほぼエメラルドカット形状に形成したものである。また、前記支持部材１８Ｆには、その内側に軸方向に貫通して内部通路１８Ｆａを横断面六角形又はひし形に形成して当該内部通路１８Ｆａに筆記部１４Ｆを挿通させるようにしたものである。なお内部通路１８Ｆａの先端部は円形断面になっており、筆記部１４Ｆの横断面が円形に合わせてある。
【００７１】
この場合、支持部材１８Ｆは、上記第１実施形態と同様の材質からなり、外側面１８Ｆｂを平坦面に形成してあって横断面が概略楕円形状を呈するものとしており、内部通路１８Ｆａに前記筆記部１４Ｆを通した状態でほぼ平坦な外側面１８Ｆｂ方向からは見えにくくする又は見えなくする（ステルスクチプラ）ものである。
この支持部材１８Ｆが、正面に平坦面が大きく配置された形状であるので、透明感や塊感をアピール・主張できる形状とすることができる。
【００７２】
支持部材１８Ｆの構成によって当該支持部材１８Ｆ内に入る光を屈折させ、内部通路１８Ｆａ側で内部全反射しやすい形状としたものである。横断面で概略六角形形状としている。
【００７３】
この場合、筆記部１４Ｆを見えにくくしたり見えなくしたりすることを説明する。図１８に示すように、筆記部１４Ｆの通る内部通路１８Ｆａのコア形状（内部通路１８Ｆａの形状）において、見える外側面１８Ｆｂに沿う方向の幅Ｗ１を狭くし、角度θを尖らせ（鋭角：角度θ＜９０°）て、内部全反射しやすくして、実現したものである。なお、前記外側面１８Ｆｂに垂直方向の長さをＷ２として、長さＷ２は幅Ｗ１より長い（Ｗ２＞Ｗ１）。好ましくは、長さの１／２が幅Ｗ１より長い（（１／２）Ｗ２＞Ｗ１）。
【００７４】
このように具体的な断面六角形状（又は緩やかなひし形形状）の外側面１８Ｆｂ側の２辺で挟む角度θを鋭角にすることで、当該支持部材１８Ｆ内で光を内部全反射させることができる。これによって筆記部１４Ｆのペン芯を見えなくできるようにしたものである。具体的には、図１８に示すように、一外側面１８Ｆｂへの入射光Ｌ１に対して内部通路１８Ｆａからの反射光Ｌ２が他の外側面１８Ｆｂに向かわずに側方向に逸れていかせることができ、筆記部１４Ｆの背面側が見えて逆に筆記部１４Ｆが見えにくく、又は見えなくなるものとなる。
【００７５】
図１８に示すように、前記内部通路１８Ｆａのコア形状を尖らせる（角度θを鋭角）ことで、前記支持部材１８Ｆが内部通路１８Ｆａの側面で内部全反射しやすくなり、結局、内部全反射で、その内部通路１８Ｆａ内の筆記部１４Ｆが見えにくくなり、透明感が増して意匠性が向上するという副次的効果もある。
【００７６】
なお、第７実施形態の筆記具においては、軸筒１０内のリブ１０ａによって筆記用インク吸蔵体１２を支持している。当該リブ１０ａを形成することで、前記軸筒１０内を単なる平滑面にする場合に比べて薄肉部及びその表面積が減るのでて、当該軸筒１０から水分の透過を低減させることができる。
【００７７】
第７実施形態においての変形例として、前記支持部材１８Ｆの周面に干渉縞を形成することができる。特に外側面１８Ｆｂは平面になっており、当該外側面１８Ｆｂに干渉縞模様を形成して外観意匠を向上させることができる。
この模様は、金型部品への干渉縞模様の付与は高コストである。そこで、ＮＣ加工機の送り制御のみの簡易的な加工で安価に干渉縞模様の作製に成功した。金型において、平面部（外側面）用の入れ子として搭載した。また、干渉縞模様の転写性を上げるためにも充填圧のかかりやすい金型構造が必要となる。
【実施例】
【００７８】
次に、実施例により、本発明を更に詳述するが、本発明は下記実施例に限定されるものではない。
【００７９】
〔実施例１〕
下記構成及び図１〜図４に準拠する筆記具、インクを使用した。筆記芯、保持体等の寸法等は下記に示す大きさのものを使用した。
【００８０】
（インク供給体１５の構成）
ＰＥＴ製繊維芯、気孔率６５％、小径部：φ２×７ｍｍ＋大径部：φ４×１５ｍｍ
（筆記芯１６の構成）
ＰＥ製焼結芯、気孔率６０％、筆記部１６ｃの描線幅：４ｍｍ、インク誘導部：直径φ
２ｍｍ
（保持体１８の構成）
硬質材料：アクリル樹脂製、可視光線透過率８０％〔スガ試験機社製、多光源分光測色計（ＭＳＣ−５Ｎ）にて反射率を測定し、可視光線透過率とした。〕
特定の角度となる保持部材１８Ｃ側から見た場合に、その保持体の表面積中で、前記筆記体の見える部分は４８％であった。
【００８１】
（筆記芯１６、保持体１８以外の筆記具部材の構成）
インク吸蔵体：ＰＥＴ繊維芯、気孔率８５％、φ１０×８５ｍｍ
筆記具本体、キャップ：ポリプロピレン（ＰＰ）製
【００８２】
（インク組成）
インクとして、下記組成のインク（合計１００質量％）を使用した。
保湿剤：トリメチルグリシン（グリシンベタイン）                    ７．５質量％
ペンタエリスリトール                                      ４．５質量％
着色剤：NKW-4805黄（日本蛍光社製）                              ４０．０質量％
防腐剤：バイオエース（ケイアイ化成社製）                          ０．３質量％
ｐＨ調整剤：トリエタノールアミン                                  １．０質量％
フッ素系界面活性剤：サーフロン8111N（ＡＧＣセイミケミカル社製）   ０．２質量％
水溶性有機溶剤：エチレングリコール                                ３．０質量％
水（溶媒）：イオン交換水                                        ４３．５質量％
【００８３】
この実施例１の筆記具では、筆記部は、軸筒から筆記用インクを誘導し、筆記可能な筆記体と、筆記体を保持する保持体からなり、保持体は視認性を有する硬質材料で形成され、さらに筆記体の見える部分を細く視認できるようにしたので、保持体の視認性から当該筆記具を持って筆記する際に、筆記対象部位を見ながら筆記部分をより鮮明にすることができることを確認した。
また、前記保持体において、軸線方向に垂直な断面での肉厚、最厚部を１ｍｍ以上としたことにより、或いは前記筆記体の外径と前記保持体の外径の比を１対３としたことにより、更に筆記対象部位を見ながら筆記部分をより鮮明にすることができることが判った。
更に、本第１実施形態では、保持体は、径線方向の中心部及び外周部に、筆記部とインク供給部が設けられているので、インク吸蔵体から筆記体の筆記面部へのインク供給は、２方向から供給される機構となるので、インク供給切れを起こすことなく、インク供給量が好適となるものであった。
更にまた、自動筆記装置にこの筆記具をセットして、ＪＩＳ  Ｓ６０３７に従い、上質紙面上で筆記角度６５°、筆記荷重１Ｎ、速度７ｃｍ／ｓ、距離１００ｍで直線筆記後、筆記した描線状態を目視にて確認したところ、上記好ましいインク組成のものを使用しているため、インク流量も良好で、ペン先の乾燥を抑えながらも、描線の乾燥性、インクの低温安定性に優れ、描線に滲みや裏抜けのない機能を発現することがわかった。
【産業上の利用可能性】
【００８４】
本発明の筆記具は、筆記用インクを筆記部で筆記するものに利用することができる。
【符号の説明】
【００８５】
１０  軸筒
１０ａ  リブ
１２  筆記用インク吸蔵体
１４  筆記部（第１実施形態）
１４Ｂ  筆記部（第２実施形態）
１４Ｅ  筆記部（第５実施形態）
１４Ｆ  筆記部（第７実施形態）
１６  筆記用インク誘導部（筆記体）
１６Ａ  筆記用インク誘導部（筆記体）
１８  支持部材（第１実施形態に係る保持体）
１８Ｂ  支持部材（第２実施形態に係る保持体）
１８Ｃ  支持部材（第３実施形態に係る保持体）
１８Ｄ  支持部材（第４実施形態に係る保持体）
１８Ｅ  支持部材（第５実施形態に係る保持体）
１８Ｆ  支持部材（第７実施形態に係る保持体）
２０  先軸
２２  筆記多孔体
３６  中栓
３６Ａ  中栓
【図１】
2018030293.tif 000003
【図２】
2018030293.tif 000004
【図３】
2018030293.tif 000005
【図４】
2018030293.tif 000006
【図５】
2018030293.tif 000007
【図６】
2018030293.tif 000008
【図７】
2018030293.tif 000009
【図８】
2018030293.tif 000010
【図９】
2018030293.tif 000011
【図１０】
2018030293.tif 000012
【図１１】
2018030293.tif 000013
【図１２】
2018030293.tif 000014
【図１３】
2018030293.tif 000015
【図１４】
2018030293.tif 000016
【図１５】
2018030293.tif 000017
【図１６】
2018030293.tif 000018
【図１７】
2018030293.tif 000019
【図１８】
2018030293.tif 000020